(57)【要約】【課題】物品の改竄の防止を容易に行える改竄防止袋を提供する。【解決手段】改竄防止袋１を、物品Ｇと、物品Ｇを収納するジッパーテープ付き袋体２とを備え、ジッパーテープ付き袋体２を、収納空間１３に収納され一方向に沿って開口端１２が設けられた袋本体１０と、袋本体１０の互いに対向する内面に接合され互いに咬合する雄部材２１および雌部材２２を有するジッパーテープ２０とを備え、雌部材２２を構成する雌側咬合部２２２の物品Ｇが収納された側とは反対側の端縁Ｐ１と袋本体１０の開口端１２とを略面一とした。【選択図】図１
2015113151.tif 000002
【特許請求の範囲】
【請求項１】
互いに咬合する雄側咬合具および雌側咬合部がそれぞれ帯状基部に連接されてなる一対のジッパーテープが開口端に接合された袋本体の収納空間に、物品が収納された改竄防止袋であって、
前記雌側咬合部の物品が収納された側とは反対側の端縁と前記袋本体の開口端とが略面一であることを特徴とする改竄防止袋。
【請求項２】
請求項１に記載された改竄防止袋において、
前記雌側咬合部の物品が収納された側とは反対側の端縁と前記袋本体の開口端との寸法差は０．０ｍｍ以上２．０ｍｍ以下であることを特徴とする改竄防止袋。
【請求項３】
改竄防止袋で使用されるジッパーテープ付き袋体であって、
一方向に沿って設けられた開口端および前記開口端から物品が収納可能とされた収納空間を有する袋本体と、
前記袋本体の互いに対向する内面に接合され互いに咬合する雄部材および雌部材を有するジッパーテープと、を備え、
前記雄部材は、雄側咬合部および前記雄側咬合部に連接し前記袋本体と接合される帯状基部を有し、
前記雌部材は、前記雄側咬合部に咬合する雌側咬合部および前記雌側咬合部に連接するとともに前記袋本体と接合する帯状基部を有し、
前記雌側咬合部の物品が収納された側とは反対側の端縁と前記袋本体の開口端とが略面一であることを特徴とするジッパーテープ付き袋体。
【請求項４】
改竄防止袋で使用されるジッパーテープ付き袋体であって、
一方向に沿って設けられた開口端および前記開口端から物品が収納可能とされた収納空間を有する袋本体と、
前記袋本体の互いに対向する内面に接合され互いに咬合する雄部材および雌部材を有するジッパーテープと、
前記ジッパーテープの前記開口端側に設けられ前記袋本体を前記ジッパーテープの長手方向に沿って切断する直線カット部と、を備え、
前記雄部材は、雄側咬合部および前記雄側咬合部に連接し前記袋本体と接合される帯状基部を有し、
前記雌部材は、前記雄側咬合部に咬合する雌側咬合部および前記雌側咬合部に連接するとともに前記袋本体と接合する帯状基部を有し、
前記雌側咬合部の物品が収納された側とは反対側の端縁と前記直線カット部で切断される袋本体の切断予定線とが略一致することを特徴とするジッパーテープ付き袋体。
【請求項５】
請求項３または請求項４に記載されたジッパーテープ付き袋体において、
前記袋本体には、前記ジッパーテープより物品側に開封用切断部が設けられていることを特徴とするジッパーテープ付き袋体。
【請求項６】
請求項４に記載されたジッパーテープ付き袋体を用いて物品を収納する収納方法であって、
前記袋本体の前記開口端から前記収納空間に物品を収納し、その後、前記袋本体に接合された前記雄部材と前記雌部材とを互いに咬合することと前記直線カット部で前記袋本体を切断することのいずれか一方を実施した後、いずれか他方を実施することを特徴とする物品の収納方法。
【発明の詳細な説明】
【技術分野】
【０００１】
本発明は、改竄防止袋、ジッパーテープ付き袋体および物品の収納方法に関する。
【背景技術】
【０００２】
従来、袋体に詰め込んだ商品を展示した時や、輸送時、その他において、商品を収納した袋を故意に開封し、商品が改竄されることがある。
例えば、スーパーマーケットなどの小売店において、袋体に商品を詰め、その後、袋体に封をした後、売り場で展示することがある。
ここで、袋体に商品を詰め、その後に封をするために、袋体を開閉する手段として、ヒートシール装置を必要とせず簡易に充填するという観点から、袋本体の互いに対向する面に接合されたジッパーテープを用いることがある。
ジッパーテープは、雄部材と雌部材とが着脱自在とされた構造であるため、袋体に封をする作業と開封する作業が簡易に行えるという有利な点があるものの、袋体に封をして一度収納した後に、袋体を開封して商品を容易に取り出せるという不利な点もある。そのため、商品の改竄防止という点からは、ジッパーテープ付き袋体は利用しにくい。
【０００３】
このようなジッパーテープ付き袋体において、改竄防止のための機能を備えた従来例が種々ある。
例えば、開口部内側に互いに咬み合う合成樹脂製のファスナーを設け、このファスナーより開口部側に把持穴を設け、この把持穴の下辺線から開口部端縁までの領域内に剥離可能なスポットシールを設けた手提げ袋（特許文献１）がある。
特許文献１の従来例では、把持穴を有する開口部に剥離可能なスポットシール部を設けることにより、スポットシール部を剥離しない限りは、ファスナーを開いて内容物を取り出すことができない。そのため、使用者が内容物を取り出して使用するまでは、他者が内容物を自由に取り出すことを防止できる。
【先行技術文献】
【特許文献】
【０００４】
【特許文献１】特開平１１−３１０２５２号公報
【発明の概要】
【発明が解決しようとする課題】
【０００５】
特許文献１で示される従来例では、把持穴を有する開口部に剥離可能なスポットシール部を設ける構成であるため、内容物の抜き取りや改竄をスポットシール部の剥離の有無で確認することになる。
しかしながら、特許文献１の従来例では、スポットシール部の剥離の有無は視覚で容易に認識できるとは限らない。仮に、スポットシール部の剥離の有無の確認を容易に行えたとしても、開封されてしまったのでは、商品の改竄対策としては十分ではない。
その上、特許文献１の従来例では、ファスナーの上方でスポットシール部を設けるために、ヒートシールなどのシール工程が必要とされる。しかも、スポットシール部のシール強度を大きなものにすると、開封自体が難しくなるので、仮封状態としなければならないが、その程度にシールすることが煩雑となる。
【０００６】
本発明の目的は、物品の改竄の防止を容易に行える改竄防止袋、ジッパーテープ付き袋体および物品の収納方法を提供することにある。
【課題を解決するための手段】
【０００７】
本発明の改竄防止袋は、互いに咬合する雄側咬合具および雌側咬合部がそれぞれ帯状基部に連接されてなる一対のジッパーテープが開口端に接合された袋本体の収納空間に、物品が収納された改竄防止袋であって、前記雌側咬合部の物品が収納された側とは反対側の端縁と前記袋本体の開口端とが略面一であることを特徴とする。
【０００８】
この発明では、物品が収納空間に収納された袋本体の互いに対向する内面にジッパーテープが接合されている。ジッパーテープを構成する雄側咬合部と雌側咬合部とが互いに咬合されている状態では、改竄防止袋が封止されていることになる。雌側咬合部の物品が収納された側とは反対側の端縁と袋本体の開口端とが略面一となっているため、雄側咬合部と雌側咬合部とを互いに開こうとしても、ジッパーテープの雌側咬合部から袋本体の開口端までを把持することができないので、改竄防止袋の開封操作自体が不可能となる。そのため、物品の改竄が確実に防止される。
ここで、物品の改竄防止のために、物品が収納された袋本体の開口端をヒートシールや超音波シールなどで封止することも考えられる。しかし、小売店などでは、シール装置が準備されていないこともあり、シール装置を簡単に利用することができない環境にある。これに対して、本発明のようにジッパーテープを用いると、物品が収納された後で袋本体の開口端を閉じる際に、雄側咬合部と雌側咬合部とを互いに咬合させるだけでよいので、シール装置を用いることなく、封止作業を容易に行うことができる。
【０００９】
本発明では、前記雌側咬合部の物品が収納された側とは反対側の端縁と前記袋本体の開口端との寸法差は０．０ｍｍ以上２．０ｍｍ以下であることが好ましい。
この寸法差が２．０ｍｍを超えると、人によっては袋体の開口端側を把持できることになる。どんな人でも袋体の開口端側を把持できないようにするために、この寸法差は短いほどよい。
【００１０】
本発明のジッパーテープ付き袋体は、改竄防止袋で使用されるジッパーテープ付き袋体であって、一方向に沿って設けられた開口端および前記開口端から物品が収納可能とされた収納空間を有する袋本体と、前記袋本体の互いに対向する内面に接合され互いに咬合する雄部材および雌部材を有するジッパーテープと、を備え、前記雄部材は、雄側咬合部および前記雄側咬合部に連接し前記袋本体と接合される帯状基部を有し、前記雌部材は、前記雄側咬合部に咬合する雌側咬合部および前記雌側咬合部に連接するとともに前記袋本体と接合する帯状基部を有し、前記雌側咬合部の物品が収納された側とは反対側の端縁と前記袋本体の開口端とが略面一であることを特徴とする。
【００１１】
この発明では、ジッパーテープの雄部材と雌部材とを咬合しない状態にしておき、物品を袋本体の収納空間に収納し、その後、雄部材と雌部材とを互いに咬合する。そのため、物品を収納後にジッパーテープで開口端を封止するだけでよいので、物品の収納作業を容易に行える。
なお、物品を収納する前にあっては、誤って雄部材と雌部材とが互いに咬合して袋体を封止しないようにするため、雄部材と雌部材との間にフィルムなどの介装物を介装しておくことが好ましい。
【００１２】
本発明のジッパーテープ付き袋体は、改竄防止袋で使用されるジッパーテープ付き袋体であって、一方向に沿って設けられた開口端および前記開口端から物品が収納可能とされた収納空間を有する袋本体と、前記袋本体の互いに対向する内面に接合され互いに咬合する雄部材および雌部材を有するジッパーテープと、前記ジッパーテープの前記開口端側に設けられ前記袋本体を前記ジッパーテープの長手方向に沿って切断する直線カット部と、を備え、前記雄部材は、雄側咬合部および前記雄側咬合部に連接し前記袋本体と接合される帯状基部を有し、前記雌部材は、前記雄側咬合部に咬合する雌側咬合部および前記雌側咬合部に連接するとともに前記袋本体と接合する帯状基部を有し、前記雌側咬合部の物品が収納された側とは反対側の端縁と前記直線カット部で切断される袋本体の切断予定線とが略一致することを特徴とする。
【００１３】
この発明では、袋本体の開口端を持ち、ジッパーテープの雄部材と雌部材とを離して袋体を開封し、物品を袋本体の収納空間に収納する。
その後、雄部材と雌部材とを互いに咬合して袋体を封止し、切断予定線に沿って袋本体を切断する。あるいは、直線カット部で袋本体を切断した後、雄部材と雌部材とを互いに咬合して袋体を封止する。
直線カット部で切断された袋本体の切断予定線が改竄防止袋の開口端となる。この開口端と雌側咬合部の物品が収納された側とは反対側の端縁とが略面一となる。そのため、雄部材と雌部材とを互いに開こうとしても、ジッパーテープ自体を把持することができないので、改竄防止袋の開封操作自体が不可能となる。
本発明では、直線カット部で袋本体を切断する前は、ジッパーテープと袋本体の開口端との寸法を長くとることができるので、物品を収納する前に、ジッパーテープの雄部材と雌部材が互いに咬合された状態であっても、互いに咬合された雄部材と雌部材とを容易に外すことが可能となる。そのため、物品の収納作業が容易となる。
【００１４】
前記袋本体には、前記ジッパーテープより物品側に開封用切断部が設けられていることが好ましい。
この構成では、商品を正規に購入した消費者などが、物品をジッパーテープ付き袋体から取り出そうとするために、開封用切断部から袋本体を切断する。そのため、物品の取り出しが容易に行える。
【００１５】
本発明の物品の収納方法は、前述の構成のジッパーテープ付き袋体を用いて物品を収納する収納方法であって、前記袋本体の前記開口端から前記収納空間に物品を収納し、その後、前記袋本体に接合された前記雄部材と前記雌部材とを互いに咬合することと前記直線カット部で前記袋本体を切断することのいずれか一方を実施した後、いずれか他方を実施することを特徴とする。
【００１６】
この発明では、物品を収納する前のジッパーテープを閉じることが可能となるので、ジッパーテープ付き袋体を製造した後、物品を収納する場所に搬送するまで、搬送中に誤って閉止することを防ぐための資材と、それを追加する工程を省略できる。また、袋内にゴミなどが誤って混入することを防止できる。
【図面の簡単な説明】
【００１７】
【図１】本発明の第１実施形態にかかる改竄防止袋の断面図。
【図２】改竄防止袋の正面図。
【図３】改竄防止袋の要部を示す断面図。
【図４】改竄防止袋の開口端側を示す断面図。
【図５】ジッパーテープ付き袋体の正面図。
【図６】ジッパーテープ付き袋体の要部を示す断面図。
【図７】本発明の第２実施形態にかかるジッパーテープ付き袋体の正面図。
【図８】図７のVIII-VIII線に沿う矢視断面図。
【図９】ポイントシール工程を実施するための装置の概略図。
【図１０】（Ａ）〜（Ｄ）は物品の収納方法を説明する概略図。
【発明を実施するための形態】
【００１８】
以下、本発明の実施形態を図面に基づいて説明する。各実施形態の説明において同一符号を付した部材は説明を省略もしくは簡略にする。
[第１実施形態]
（改竄防止袋の構成）
本発明の第１実施形態を図１から図６に基づいて説明する。
図１および図２には、物品Ｇが収納された改竄防止袋１の全体構成が示されている。
図１および図２において、改竄防止袋１は、物品Ｇと、物品Ｇが収納されたジッパーテープ付き袋体２とを備えている。
（ジッパーテープ付き袋体の構成）
ジッパーテープ付き袋体２は、改竄防止袋１に専ら用いられるものであって、物品Ｇが収納される袋本体１０と、袋本体１０の互いに対向する内面に接合されたジッパーテープ２０とを備える。袋本体１０のジッパーテープ２０より物品側には、開封用切断部３０が設けられている。
物品Ｇは、種々の商品を例示できるが、本実施形態では、大小２本のボトルＧ１，Ｇ２である。
【００１９】
（袋本体の構成）
袋本体１０は、基材フィルム１１が折り返して重ね合わされ、折り返す方向の両側に対応する重なり合う両縁部にサイドシール部１０Ａが形成されている。袋本体１０は、折り返す方向の端部に対応する重なり合い一方向に延びた縁が、ジッパーテープ２０を取り付ける開口端１２となる。
袋本体１０の内部には物品Ｇを収納する収納空間１３が設けられている。袋本体１０の開口端１２とは反対側の端縁にボトムシール部１０Ｂが設けられている。ボトムシール部１０Ｂの端部は、サイドシール部１０Ａの端部と接続されている。なお、本実施形態では、開口端１２のみが開放可能な構成であれば、必ずしも、ボトムシール部１０Ｂを設けることを要しない。基材フィルム１１を折り返したまま、または、底材を挿入したスタンディングパウチとしてもよい。
【００２０】
（袋本体の材料）
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。図１には多層のフィルムの例が開示されている。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。
【００２１】
（ジッパーテープの構成）
ジッパーテープ２０の詳細な構成が図３に示されている。
図３において、ジッパーテープ２０は、互いに咬合する雄部材２１および雌部材２２を有する。  
雄部材２１は、袋本体１０の内面に対して融着される雄側帯状基部２１１と、雄側帯状基部２１１に連接された雄側咬合部２１２とを有する。雄側咬合部２１２は、断面が略鏃（やじり）形状の頭部２１３と、雄側帯状基部２１１および頭部２１３を連結する連結部２１４と、を有する。
雄側帯状基部２１１は、袋本体１０の内面に開口端１２が形成される方向に沿って配置されている。雄側咬合部２１２は、雄側帯状基部２１１の長手方向に沿って形成されている。
袋本体１０の開口端１２と、雄側帯状基部２１１の物品Ｇが収納された側とは反対側の端縁の位置とが略面一となる。
【００２２】
雌部材２２は、雄部材２１と同様に、袋本体１０の内面に対して融着される雌側帯状基部２２１と、この雌側帯状基部２２１と連接され雄部材２１の頭部２１３と係合する雌側咬合部２２２と、を備えている。
雌側帯状基部２２１は、袋本体１０の内面であって雄部材２１と対向する位置に開口端１２が形成される方向に沿って配置されている。
袋本体１０の開口端１２と、雌側帯状基部２２１の物品Ｇが収納された側とは反対側の端縁の位置とが略面一となる。
雌側咬合部２２２は、雌側帯状基部２２１の長手方向に沿って形成されている。
雌側咬合部２２２は、断面矩形上の雌側帯状基部２２１に接合された断面矩形状のブロック体に頭部２１３と係合する断面凹状の凹部が形成されている。
【００２３】
図３および図４で示される通り、雌側咬合部２２２の物品Ｇが収納された側とは反対側の端縁Ｐ１と、袋本体１０の開口端１２とは略面一であり、その寸法差ｔは、人の指Ｆで把持できない距離である。
雄側咬合部２１２の物品Ｇが収納された側とは反対側の端縁Ｐ２と、袋本体１０の開口端１２との間の寸法は、人の指Ｆで把持できない距離が好ましいが、これに限定されるものではない。
つまり、雄部材２１の雄側帯状基部２１１の端縁Ｐ２から開口端１２側の端縁までの部分は、雄側咬合部２１２と雌側咬合部２２２とが離れている状態では、把持対象となるが、雄側咬合部２１２と雌側咬合部２２２とが互いに咬合されている状態では、雌側咬合部２２２で把持する領域が規制される。そのため、雄部材２１が接合された袋本体１０の把持対象は雌部材２２が接合された袋本体１０の寸法差ｔと同じ寸法の領域となる。
【００２４】
大人、子供、男性、女性などや、年齢や健康状態などによって、手で物をつかむ強さに差異がある。例えば、指先の起用な健康な成人男性であれば、指先の力が強いため、指で把持する領域の距離が短くてもよいが、子供や高齢者では、指先の力が弱いため、当該距離を長くする必要がある。これらを考慮すると、人の指で把持できないようにするため、雌側咬合部２２２の物品Ｇが収納された側とは反対側の端縁Ｐ１と、袋本体１０の開口端１２との寸法差ｔは、０．０ｍｍ以上２．０ｍｍ以下が普遍的な値となる。この寸法差ｔが２．０ｍｍを超えると、多くの人にとって、袋体の開口端側を把持できることになる。なお、寸法差ｔの下限値は、できる限り０．０ｍｍにすることが好ましい。
開封用切断部３０は、物品Ｇを改竄防止袋１から取り出す際に用いるもので、従来と同様の構成を採用することができる。例えば、開封用切断部３０としては、袋本体１０の両サイドシール部１０Ａにそれぞれ設けられた切欠きや、両サイドシール部１０Ａ同士を接続した直線状切断部を例示できる。この直線状切断部としては、直線カットフィルム、レーザー加工、ミシン目加工等で形成された切断線を例示することができる。
【００２５】
（ジッパーテープの材料）
このようなジッパーテープ２０は、例えば、ポリオレフィン系樹脂を用いて形成されている。なお、ジッパーテープ２０は、長手方向に対して折り曲げることで、その状態を保持する形状保形性を有して形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、伸びにくいポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００２６】
（ジッパーテープ付き袋体の製造方法）
ジッパーテープ付き袋体２を製造するには、種々の方法を採用することができる。
例えば、雄側咬合部２１２と雌側咬合部２２２とをそれぞれ基材フィルム１１の両端縁にヒートシールしてジッパーテープ２０を袋本体１０に融着する。
その後、基材フィルム１１を折り曲げてサイドシール部１０Ａをヒートシールで形成し、必要に応じて、ボトムシール部１０Ｂを形成する。その後、袋本体１０に開封用切断部３０を設ける。
【００２７】
（物品の収納方法）
ジッパーテープ付き袋体２が製造されたら、ジッパーテープ付き袋体２を小売店などに搬送する。
図５および図６に示される通り、ジッパーテープ付き袋体２を搬送する際に、雄部材２１と雌部材２２とが誤って咬合しないようにするため、雄部材２１と雌部材２２との間にフィルムＡを介装しておく。
小売店などでは、フィルムＡを取り除くとともに、袋本体１０の開口端１２から収納空間１３に物品Ｇを収納する。物品Ｇを収納する際には、袋本体１０の開口端１２が開放されたままとする。
物品Ｇが収納されたら、ジッパーテープ２０の一端から他端に向けて、雄部材２１と雌部材２２とを互いに咬合する。これにより、物品Ｇが収納空間１３に収納された改竄防止袋１が完成する。
完成した改竄防止袋１を販売するために、売り場に展示する。この状態では、ジッパーテープ２０自体を把持できないので、改竄防止袋１を開けることができず、商品の改竄などが不可能となる。
売り場にて、物品Ｇが収納された改竄防止袋１を購入した消費者は、ジッパーテープ２０自体を開けることができないので、物品Ｇを取り出すために、開封用切断部３０により、袋本体１０を切断する。
【００２８】
（第１実施形態の効果）
第１実施形態では、次の効果を奏することができる。
（１）改竄防止袋１を、物品Ｇと、物品Ｇを収納するジッパーテープ付き袋体２とを備えて構成した。このジッパーテープ付き袋体２を、収納空間１３に収納され一方向に沿って開口端１２が設けられた袋本体１０と、袋本体１０の互いに対向する内面に接合され互いに咬合する雄部材２１および雌部材２２を有するジッパーテープ２０とを備え、雌部材２２を構成する雌側咬合部２２２の物品Ｇが収納された側とは反対側の端縁Ｐ１と袋本体１０の開口端１２とを略面一とし、人の指で把持できないようにした。そのため、雄部材２１と雌部材２２とが互いに咬合されている状態では、改竄防止袋１が封止されていることになり、雄部材２１と雌部材２２とを互いに開こうとしても、ジッパーテープ２０自体を把持することができなくなる。従って、改竄防止袋１の開封操作自体が不可能となるので、物品Ｇの改竄が確実に防止される。しかも、物品Ｇが収納されたジッパーテープ付き袋体２を封止するには、雄部材２１と雌部材２２とを互いに咬合させるだけでよいので、シール装置を用いることがない。そのため、封止作業を容易に行うことができる。
【００２９】
（２）袋本体１０には、ジッパーテープ２０より物品側に開封用切断部３０を設けたから、物品Ｇをジッパーテープ付き袋体２から取り出そうとする際に、開封用切断部３０で袋本体１０を切断することで、物品Ｇの取り出しが容易に行える。
【００３０】
（３）物品Ｇを収納する前にあっては、雄部材２１と雌部材２２との間にフィルムＡを介装するので、雄部材２１と雌部材２２とが誤って互いに咬合することが防止される。そのため、物品Ｇの収納作業を容易に行うことができる。
【００３１】
［第２実施形態］
次に、本発明の第２実施形態を図７から図１０に基づいて説明する。
第２実施形態は、改竄防止袋１で使用されるジッパーテープ付き袋体４の異なる例である。
（ジッパーテープ付き袋体の構成）
図７および図８において、第２実施形態のジッパーテープ付き袋体４は、改竄防止袋１で使用されるものであって、袋本体１０と、袋本体１０の互いに対向する内面に接合されたジッパーテープ２０と、ジッパーテープ２０の開口端側に設けられた直線カット部５０とを備える。袋本体１０には、ジッパーテープ２０より物品側に開封用切断部３０が設けられている。
【００３２】
（ジッパーテープの構成）
ジッパーテープ２０を構成する雄部材２１は、第１実施形態と同様に、雄側帯状基部２１１および雄側咬合部２１２を備えているが、雄側帯状基部２１１が袋本体１０の開口端１２から所定寸法離れて配置される点が第１実施形態と異なる。
ジッパーテープ２０を構成する雌部材２２は、第１実施形態と同様に、雌側帯状基部２２１および雌側咬合部２２２を備えているが、雌側帯状基部２２１が袋本体１０の開口端１２から所定寸法離れて配置されている点が第１実施形態と異なる。
【００３３】
（直線カット部）
ジッパーテープ２０と直線カット部５０とは同じ材質である。
直線カット部５０は、雄部材２１の雄側帯状基部２１１と一体に形成された雄側カット部５１と、雌部材２２の雌側帯状基部２２１と一体に形成された雌側カット部５２とを備えている。
雄側カット部５１は、雄側帯状基部２１１の開口部側に接続された薄肉部５１１と、薄肉部５１１の開口部側に接続された凸状部５１２とを備えている。凸状部５１２は、雄側帯状基部２１１と同じ厚さであり、その裏面は袋本体１０の内面に接合されている。なお、凸状部５１２は、雄側帯状基部２１１より厚くてもよい。
薄肉部５１１は、袋本体１０に接合される面と雄側帯状基部２１１および凸状部５１２の内面とからそれぞれ後退した位置に設けられている。
薄肉部５１１の厚みは、０．１２ｍｍ以下であることが好ましく、本実施形態では、０．１ｍｍとする。雄側帯状基部２１１および凸状部５１２の厚みは、０．１３ｍｍ〜１ｍｍの間で設定することが好ましく、例えば、０．２５ｍｍとすることができる。
【００３４】
雌側カット部５２は、雌側帯状基部２２１の開口部側に接続された薄肉部５２１と、薄肉部５２１の開口部側に接続された凸状部５２２とを備えている。凸状部５２２は、雌側帯状基部２２１と同じ厚さであり、その裏面は袋本体１０の内面に接合されている。なお、凸状部５２２は、雌側帯状基部２２１より厚くてもよい。
薄肉部５２１は、雄側カット部５１の薄肉部５２１と同じ形状であり、袋本体１０に接合される面と雌側帯状基部２２１および凸状部５２２の内面とからそれぞれ後退した位置に設けられている。
直線カット部５０の長手方向に沿った薄肉部５１１，５２１に対応する袋本体１０の位置が切断予定線Ｌとされる（図７参照）。つまり、切断予定線Ｌは、薄肉部５１１，５２１のうち長手方向と直交する幅方向（図８の上下方向）のうちいずれかの位置、例えば、中間位置に対応する袋本体１０の位置Ｐ３とされる（図８参照）。
雌側咬合部２２２の物品Ｇが収納された側とは反対側の端縁Ｐ１と、切断予定線Ｌが形成される位置Ｐ３とは袋本体１０の正面視で略一致し、その寸法差ｄは、人の指で把持できない距離である。この距離（寸法差ｄ）は、第１実施形態と同様に、０．０ｍｍ以上２．０ｍｍ以下である。
【００３５】
このような構成のジッパーテープ２０および直線カット部５０を、袋本体１０の内面に融着させると、雄側カット部５１の薄肉部５１１と袋本体１０の内面との間に空隙が形成される。雌側カット部５２でも同様に、薄肉部５２１と袋本体１０の内面との間に空隙が形成される。
また、ジッパーテープ２０および直線カット部５０と袋本体１０とを重ね合わせた状態で、薄肉部５１１，５２１の両端となる位置に、開封開始位置となるＶ字形のノッチ５３がそれぞれ形成される（図７）。切断予定線Ｌの両端部は、それぞれノッチ５３と接続されている。
【００３６】
（ジッパーテープ付き袋体の製造方法）
まず、ジッパーテープ２０および直線カット部５０を共押出成形法により一体化して形成しておく。
ジッパーテープ２０および直線カット部５０を基材フィルム１１に融着する。そのため、袋本体１０を構成する基材フィルム１１に、予め一体に形成されたジッパーテープ２０および直線カット部５０を融着させる。そして、基材フィルム１１にサイドシール部１０Ａやボトムシール部１０Ｂを形成する。
ここで、ジッパーテープ付き袋体４を形成する際、袋本体１０の両サイドシール部１０Ａにおいて、それぞれジッパーテープ２０を潰すためのポイントシール工程が必須となる。このポイントシール工程は図９で示されるシール装置６で実施される。
【００３７】
図９において、シール装置６は、ポイントシールバー６１，６２を備えており、ポイントシールバー６１には凸部６１Ａが設けられている。
このような構成のシール装置６でポイントシールするとき、凸部６１Ａを基材フィルム１１の上から薄肉部５１１，５２１に押し当て、薄肉部５１１，５２１の中心から外側の方向に力を加えることによって、溶融扁平化する。
その後、両サイドシール部１０Ａの薄肉部５１１，５２１に相当する部分にＶ字形のノッチ５３を形成する。
【００３８】
（物品の収納方法）
次に、第２実施形態のジッパーテープ付き袋体４を用いて物品を収納する方法を図１０に基づいて説明する。
ジッパーテープ付き袋体４を製造しておき、小売店などに搬送する。ジッパーテープ付き袋体４を搬送するに際して、内部にゴミなどが入り込まないようにするために、ジッパーテープ２０を閉じた状態とする。
【００３９】
図１０（Ａ）で示される通り、小売店では、ジッパーテープ付き袋体４を用意する。そして、図１０（Ｂ）で示される通り、ジッパーテープ２０を開放し、袋本体１０の開口端１２から収納空間１３に物品Ｇを収納する。
図１０（Ｃ）で示される通り、物品Ｇが収納されたら、ジッパーテープ２０の一端から他端に向けて、雄部材２１と雌部材２２とを互いに咬合する。これにより、ジッパーテープ付き袋体４の内部が密閉されることになる。さらに、直線カット部５０の薄肉部５１１，５１２を一方のノッチ５３から他方のノッチ５３に向けて破断し、袋本体１０を切断予定線Ｌに沿って切断する。これにより、物品Ｇが収納空間１３に収納された改竄防止袋１が完成する。
【００４０】
図１０（Ｄ）に示される通り、切断予定線Ｌに沿って袋本体１０が切断された状態では、袋本体１０の切断された端縁が改竄防止袋１の開口端となる。この開口端とジッパーテープ２０の雌側咬合部２２２の端縁Ｐ１との間の寸法差はｄである。寸法差ｄは、人の指で把持できない距離であるため、第１実施形態と同様に、ジッパーテープ２０自体を把持できなくなり、改竄防止袋１を開けることができない。
物品Ｇが収納された改竄防止袋１を購入した消費者は、物品Ｇを取り出すために、開封用切断部３０により、袋本体１０を切断する。
【００４１】
（第２実施形態の効果）
第２実施形態では、第１実施形態の効果（１）（２）と同じ効果を奏することができる他、次の効果を奏することができる。
（４）ジッパーテープ付き袋体２を、袋本体１０と、雄部材２１および雌部材２２を有するジッパーテープ２０と、ジッパーテープ２０の開口端側に設けられ袋本体１０をジッパーテープ２０の長手方向に沿って切断する直線カット部５０とを備えて構成し、雌部材２２を構成する雌側咬合部２２２の物品Ｇが収納された側とは反対側の端縁Ｐ１と直線カット部５０で切断される袋本体１０の切断予定線Ｌとを袋本体１０の正面視で略一致させることで、その寸法差ｄにより、人の指で把持できない距離とした。そのため、直線カット部５０で切断予定線に沿って切断された袋本体１０の端縁が改竄防止袋１の開口端となり、この開口端と雌側咬合部の端縁との間の寸法が人の指で把持できない距離となるため、改竄防止袋１の開封操作自体が不可能となる。しかも、直線カット部５０で袋本体１０を切断する前は、ジッパーテープ２０と袋本体１０との開口端との寸法を長くとることができるので、物品Ｇを収納するために、ジッパーテープ２０を簡単に開けることができる。
【００４２】
（５）物品Ｇを収納するために、袋本体１０の開口端１２から物品Ｇを収納し、その後、雄部材２１と雌部材２２とを互いに咬合することと直線カット部５０で袋本体１０を切断することを行ったので、物品Ｇを収納する前のジッパーテープ２０を閉じることが可能となる。そのため、ジッパーテープ付き袋体４を製造した後、物品Ｇを収納する場所に搬送するまで、搬送中に誤って閉止することを防ぐための資材と、それを追加する工程を省略できる。また、袋体の内部にゴミなどが誤って混入することを防止できる。
【００４３】
（６）物品Ｇを収納し、雄部材２１と雌部材２２とを互いに咬合してジッパーテープ２０を閉じ、その後、直線カット部５０で袋本体１０を切断したから、小売店などの従業員が誤って物品を収納してジッパーテープ２０を閉じても、直線カット部５０で袋本体１０を切断する前であれば、ジッパーテープ２０を再度開けることができるので、物品Ｇの収納を効率的に行うことができる。
【００４４】
（７）ジッパーテープ２０と直線カット部５０とを同じ材質で形成するので、これらを一体に形成することができる。そのため、ジッパーテープ付き袋体４を効率的に製造することができる。
【００４５】
［実施形態の変形］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
【００４６】
例えば、前記各実施形態では、袋本体１０に開封用切断部３０を設けたが、本発明では、開封用切断部３０を必ずしも設けることを要しない。つまり、開封用切断部３０がなくても、ハサミなどの刃物で、袋本体１０を切断することで、物品Ｇの取り出しを行うことができる。仮に、開封用切断部３０を袋本体１０に設ける場合であっても、前記各実施形態の構成に限定されるものではなく、例えば、直線カット部５０と同様の構成を開封用切断部として採用するものでもよい。
【００４７】
第２実施形態において、物品Ｇを袋本体１０に収納し、袋本体１０に接合された雄部材２１と雌部材２２とを互いに咬合してジッパーテープ２０を閉じた後に、直線カット部５０で袋本体１０を切断したが、本発明では、物品Ｇを袋本体１０に収納し、直線カット部５０で袋本体１０を切断した後に、ジッパーテープ２０を閉じるものとしてもよい。
さらに、直線カット部５０の構成は、第２実施形態の構成に限定されるものではなく、例えば、直線カットフィルム、レーザー加工、ミシン目加工等で形成された直線カット部であってもよい。例えば、ミシン目で直線カット部を構成する場合にあっては、ジッパーテープ２０の開口端側の端縁に沿って袋本体にミシン目を形成するものでもよい。
【産業上の利用可能性】
【００４８】
本発明は、例えば、雑貨、食品、薬品、医療品等の各種物品を収納するためのジッパーテープ付き袋体、および、このジッパーテープ付き袋体に物品が収納された改竄防止袋に利用することができる。
【符号の説明】
【００４９】
１…改竄防止袋、２，４…ジッパーテープ付き袋体、１０…袋本体、１２…開口端、１３…収納空間、２０…ジッパーテープ、２１…雄部材、２２…雌部材、３０…開封用切断部、５０…直線カット部、Ｇ…物品、Ｌ…切断予定線、ｔ…寸法差
【図１】
2015113151.tif 000003
【図２】
2015113151.tif 000004
【図３】
2015113151.tif 000005
【図４】
2015113151.tif 000006
【図５】
2015113151.tif 000007
【図６】
2015113151.tif 000008
【図７】
2015113151.tif 000009
【図８】
2015113151.tif 000010
【図９】
2015113151.tif 000011
【図１０】
2015113151.tif 000012